(57)【要約】【課題】撮影された顔画像の特徴点をより多くすることができるＩＤカードシステム及びＩＤカード作成方法を提供する。【解決手段】第２のカメラ５２が第１のカメラ５１とは異なる位置に配置されている。コントローラ５５は、第１のカメラ５１及び第２のカメラ５２を駆動することによって第１のカメラ５１及び第２のカメラ５２に画像入力を行わせ、第１のカメラ５１及び第２のカメラ５２から申請人の顔画像を取得する。第１のカメラ５１の撮影と第２のカメラ５２の撮影は同時とする。コントローラ５５は、カメラ５１，５２で取得した顔画像を予め撮影した顔画像と照合することにより本人確認を行う。本人確認終了後、撮影した顔画像がプリンタ８０によりＩＤカードに印刷される。【選択図】図２
2007226549.tif 000002
【特許請求の範囲】
【請求項１】
互いに異なった位置に配置され、被写人を撮影して光電変換により被写人の顔画像を入力する複数のカメラと、
前記各カメラで入力された顔画像を前記各カメラから取得するコントローラと、
前記コントローラにより取得された顔画像を記憶するファイリング装置とを備えることを特徴とするＩＤカードシステム。
【請求項２】
互いに異なった位置に配置され、被写人を撮影して光電変換により被写人の顔画像を入力する複数のカメラと、
前記各カメラで入力された顔画像を前記各カメラから取得するコントローラと、
前記コントローラにより取得された顔画像をＩＤカードに印刷するプリンタとを備えることを特徴とするＩＤカードシステム。
【請求項３】
特徴点データを記憶したファイリング装置を更に備え、
前記コントローラが、前記各カメラから取得した顔画像から特徴点データを算出し、その算出した特徴点データと前記ファイリング装置に記憶された特徴点データとを照合することにより本人であるか否かを確認し、
前記コントローラにより本人と確認された場合に、前記プリンタが前記コントローラにより取得された顔画像をＩＤカードに印刷することを特徴とする請求項２に記載のＩＤカードシステム。
【請求項４】
前記ファイリング装置が複数の特徴点データをＩＤ番号に対応付けて記憶していることを特徴とする請求項３に記載のＩＤカードシステム。
【請求項５】
前記複数のカメラは被写人を撮影するアングルが互いに異なることを特徴とする請求項１から４の何れか一項に記載のＩＤカードシステム。
【請求項６】
前記複数のカメラは撮影倍率が互いに異なることを特徴とする請求項１から５の何れか一項に記載のＩＤカードシステム。
【請求項７】
前記複数のカメラは感度を示す光の波長帯域が互いに異なることを特徴とする請求項１から６の何れか一項に記載のＩＤカードシステム。
【請求項８】
前記コントローラが前記複数のカメラの撮影を同時に行わせることを特徴とする請求項１から７の何れか一項に記載のＩＤカードシステム。
【請求項９】
前記コントローラが前記複数のカメラから取得した顔画像を互いに異なる圧縮率で圧縮することを特徴とする請求項１から８の何れか一項に記載のＩＤカードシステム。
【請求項１０】
互いに異なった位置に配置された複数のカメラによって被写人を撮影して光電変換により被写人の顔画像を入力する工程と、
コントローラが、前記各カメラで入力された顔画像を前記各カメラから取得する取得工程と、
プリンタが、前記コントローラにより取得された顔画像をＩＤカードに印刷する印刷工程とを含むことを特徴とするＩＤカード作成方法。
【請求項１１】
前記コントローラが、前記取得工程で取得した顔画像から特徴点データを算出し、その算出した特徴点データとファイリング装置に記憶された特徴点データとを照合することにより本人であるか否かを確認する確認工程を更に含み、
前記確認工程で前記コントローラにより本人確認された場合に、前記プリンタが前記印刷工程を行うことを特徴とする請求項１０に記載のＩＤカード作成方法。
【発明の詳細な説明】
【技術分野】
【０００１】
本発明は、ＩＤカードシステム及びＩＤカード作成方法に関する。
【背景技術】
【０００２】
近時、不揮発性メモリやＣＰＵを有する小型ＩＣチップが普及し、そのようなＩＣチップを内蔵したＩＤカードが社員証や免許証等に応用されている。ＩＤカードには、顔写真や、個人情報（ＩＤ番号、住所、氏名、年齢、及び所属等）が紙やプラスチック製カードの表面に直接印刷されるとともに、カードに内蔵されるＩＣチップにデジタルデータ化した顔写真や、個人情報が記録されている。
【０００３】
また、登録者になりすました者にＩＤカードの誤発行を防止するために、登録者の顔画像を電子データとして登録したり、申請人が登録者であるか否かを判定したりするための技術が開発されている（例えば、特許文献１、特許文献２、特許文献３、特許文献４参照。）。一般的に、ＩＤカードの発行申請を行った申請人が登録者であるか否かを判定する際には、申請人の顔画像を電子カメラで撮影し、その顔画像を登録顔画像と照合装置によって照合することが行われている。この場合、照合装置は、撮影された顔画像から特徴点を抽出するとともに、登録顔画像からも特徴点を抽出し、両方の特徴点を比較している。
【特許文献１】特開２００５−７１０５９号公報
【特許文献２】特開２００５−１４１３７９号公報
【特許文献３】特開２００５−１５１３１６号公報
【特許文献４】特開２００５−３０８９６６号公報
【発明の開示】
【発明が解決しようとする課題】
【０００４】
照合装置による照合精度を向上するためには、撮影された顔画像の特徴点をより多くすることが重要となる。そこで、本発明は、撮影された顔画像の特徴点をより多くすることができるＩＤカードシステム及びＩＤカード作成方法を提供することを目的とする。
【課題を解決するための手段】
【０００５】
請求項１に記載のＩＤカードシステムは、互いに異なった位置に配置され、被写人を撮影して光電変換により被写人の顔画像を入力する複数のカメラと、前記各カメラで入力された顔画像を前記各カメラから取得するコントローラと、前記コントローラにより取得された顔画像を記憶するファイリング装置とを備えることを特徴とする。
【０００６】
請求項２に記載のＩＤカードシステムは、互いに異なった位置に配置され、被写人を撮影して光電変換により被写人の顔画像を入力する複数のカメラと、前記各カメラで入力された顔画像を前記各カメラから取得するコントローラと、前記コントローラにより取得された顔画像をＩＤカードに印刷するプリンタとを備えることを特徴とする。
【０００７】
請求項３に記載のＩＤカードシステムは、請求項２に記載のＩＤカードシステムにおいて、特徴点データを記憶したファイリング装置を更に備え、前記コントローラが、前記各カメラから取得した顔画像から特徴点データを算出し、その算出した特徴点データと前記ファイリング装置に記憶された特徴点データとを照合することにより本人であるか否かを確認し、前記コントローラにより本人と確認された場合に、前記プリンタが前記コントローラにより取得された顔画像をＩＤカードに印刷することを特徴とする。
【０００８】
請求項４に記載のＩＤカードシステムは、請求項３に記載のＩＤカードシステムにおいて、前記ファイリング装置が複数の特徴点データをＩＤ番号に対応付けて記憶していることを特徴とする。
【０００９】
請求項５に記載のＩＤカードシステムは、請求項１から４の何れか一項に記載のＩＤカードシステムにおいて、前記複数のカメラは被写人を撮影するアングルが互いに異なることを特徴とする。
【００１０】
請求項６に記載のＩＤカードシステムは、請求項１から５の何れか一項に記載のＩＤカードシステムにおいて、前記複数のカメラは撮影倍率が互いに異なることを特徴とする。
【００１１】
請求項７に記載のＩＤカードシステムは、請求項１から６の何れか一項に記載のＩＤカードシステムにおいて、前記複数のカメラは感度を示す光の波長帯域が互いに異なることを特徴とする。
【００１２】
請求項８に記載のＩＤカードシステムは、請求項１から７の何れか一項に記載のＩＤカードシステムにおいて、前記コントローラが前記複数のカメラの撮影を同時に行わせることを特徴とする。
【００１３】
請求項９に記載のＩＤカードシステムは、請求項１から８の何れか一項に記載のＩＤカードシステムにおいて、前記コントローラが前記複数のカメラから取得した顔画像を互いに異なる圧縮率で圧縮することを特徴とする。
【００１４】
請求項１０に記載のＩＤカード作成方法は、互いに異なった位置に配置された複数のカメラによって被写人を撮影して光電変換により被写人の顔画像を入力する工程と、コントローラが、前記各カメラで入力された顔画像を前記各カメラから取得する取得工程と、プリンタが、前記コントローラにより取得された顔画像をＩＤカードに印刷する印刷工程とを含むことを特徴とする。
【００１５】
請求項１１に記載のＩＤカード作成方法は、請求項１０に記載のＩＤカード作成方法において、前記コントローラが、前記取得工程で取得した顔画像から特徴点データを算出し、その算出した特徴点データとファイリング装置に記憶された特徴点データとを照合することにより本人であるか否かを確認する確認工程を更に含み、前記確認工程で前記コントローラにより本人確認された場合に、前記プリンタが前記印刷工程を行うことを特徴とする。
【発明の効果】
【００１６】
本発明によれば、異なる位置に配置された複数のカメラで被写人を撮影するので、コントローラにおいては複数の顔画像が取得される。そのため、特徴点が多くなり、これら複数の顔画像に基づいて照合を行う場合には、照合精度が向上する。
【発明を実施するための最良の形態】
【００１７】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１８】
図１は、ＩＤカードシステム１００のシステム構成を示す図である。図１に示すように、ＩＤカードシステム１００には、ホストコンピュータ１、登録端末１０、撮影・照合装置５０、顔画像ファイリング装置７０、カードプリンタ８０、発行端末９０等から構成され、各装置はネットワークＮを介してデータの送受信が可能なように構成されている。
【００１９】
ホストコンピュータ１は、ＩＤカードシステム１００を統合的に管理するサーバとしての機能を有し、ＩＤカードシステム１００において送受信されるデータを管理するデータベース（図示せず）を備えている。ホストコンピュータ１は、登録端末１０から送信される申請人の個人情報及びＩＤ番号や、撮影・照合装置５０から送信された申請人の顔画像及び特徴点データを受信し、受信した情報を対応付けてデータベースに保存する。また、ホストコンピュータ１は、撮影・照合装置５０、カードプリンタ８０、発行端末９０の要求に応じて、要求された申請人の個人情報、ＩＤ番号をカードプリンタ８０、撮影・照合装置５０、発行端末９０に送信する。
【００２０】
登録端末１０は、申請書の受け付けを行うオペレータにより操作される端末であり、申請書の記載に基づいて、申請人に関する個人情報等を入力させ、個人情報に対応するＩＤ番号を発行する装置である。また、登録端末１０は、入力された個人情報をＩＤ番号に対応付けてホストコンピュータ１に送信する。
【００２１】
撮影・照合装置５０は、光電変換により申請人（被写人）の顔画像を入力する複数のカメラを備え、申請人の顔画像をこれらカメラで取得する装置である。この撮影・照合装置５０は、各カメラで撮影された顔画像から特徴点データを抽出する処理を行い、更に各カメラで撮影された顔画像を圧縮する処理を行い、これら顔画像及び特徴点データを対応付けて顔画像ファイリング装置７０に送信する。また、撮影・照合装置５０は、各カメラで撮影された顔画像及びその特徴点データを、顔画像ファイリング装置７０から受信した顔画像及びその特徴点データと照合することによって本人確認を行う。
【００２２】
顔画像ファイリング装置７０は、撮影・照合装置５０からＩＤ番号に対応付けられた顔画像及び特徴点データを受信する。そして、顔画像ファイリング装置７０は、ＩＤ番号に基づいて、顔画像の特徴点データ及び顔画像を保存、管理する。
【００２３】
カードプリンタ８０は、印刷装置等を備え、ホストコンピュータ１から個人情報を受信すると共に、顔画像ファイリング装置７０や撮影・照合装置５０からＩＤ番号及び顔画像を受信する。そして、受信した個人情報に含まれるＩＤ番号と、顔画像に付帯するＩＤ番号とを一致させ、個人情報及び顔画像が記載されたＩＤカードの印刷、作成を行う。
【００２４】
発行端末９０は、リーダ／ライタを備え、ホストコンピュータ１から個人情報及びＩＤ番号、顔画像ファイリング装置７０から顔画像とその特徴点データを受信して、受信した各情報をＩＤカードの内蔵メモリに記録する。
【００２５】
続いて、撮影・照合装置５０について図２及び図３を用いて詳細に説明する。図２は、撮影・照合装置５０の側面図であり、図３は、撮影・照合装置５０のブロック図である。
【００２６】
図２に示すように、撮影・照合装置５０は、第１のカメラ５１と、第２のカメラ５２と、閃光機５３と、制御ボックス５４とを備える。
【００２７】
閃光機５３は、例えば蛍光灯、ハロゲンランプ又はメタルハライドランプにより構成され、撮影の際に、椅子に着座した申請人に対して光を照射する。
【００２８】
第１のカメラ５１及び第２のカメラ５２は何れも、椅子に着座した申請人の顔を結像する光学レンズと、光学レンズによって結像された像を光電変換により電気信号に変換するフォトセンサアレイ（例えば、ＣＣＤ（Charge Coupled Device）型固体撮像素子、ＣＭＯＳ（Complementary Metal Oxide Semiconductor）型固体撮像素子）と、フォトセンサアレイから出力された画像信号を所定分解能でサンプリングして画像信号をデジタルデータに変換する信号処理回路等とを有し、光学レンズ、フォトセンサアレイ及び信号処理回路等によって申請人の顔画像を入力するものである。
【００２９】
第１のカメラ５１と第２のカメラ５２は互いに離れた位置に配置され、第１のカメラ５１により申請人を撮影するアングルと第２のカメラ５２により申請人を撮影するアングルとが互いに異なる。第１のカメラ５１が申請人の顔の正面に配置され、この第１のカメラ５１によって撮影された顔画像がカードプリンタ８０によるＩＤカードの印刷に用いられるとともに、本人確認のための照合にも用いられる。一方、第２のカメラ５２は第１のカメラ５１の下に配置され、この第２のカメラ５２によって撮影された顔画像は本人確認のための照合に用いられる。
【００３０】
また、第１のカメラ５１の画角と第２のカメラ５２の画角が同じであっても良いが、異なっている方が更に好ましい。
【００３１】
また、第１のカメラ５１の撮影倍率と第２のカメラ５２の撮影倍率が同じであっても良いが、異なっている方が更に好ましい。例えば、申請人の胸から頭頂までの部分が第１のカメラ５１の撮影範囲内に入るように第１のカメラ５１の撮影倍率が設定され、第２のカメラ５２の撮影倍率が第１の撮影倍率よりも大きく設定されることによって申請人の顔が第２のカメラ５２の撮影範囲内に大きく入る。また、第２のカメラ５２の撮影倍率は、申請人の顔の一部（例えば、目、鼻、口等）をアップした状態となるように更に大きく設定されていても良い。
【００３２】
また、第１のカメラ５１の分光特性と第２のカメラ５２の分光特性が同じであっても良いが、異なっている方が更に好ましい。例えば、第１のカメラ５１が可視光波長域の光に対して感度を示すことで可視光画像を入力し、第２のカメラ５２が赤外線波長域の光に対して感度を示すことで赤外線画像を入力する。
【００３３】
図３に示すように、撮影・照合装置５０は、更に、コントローラ５５と、入力部５６と、表示部５７と、通信部５８と、記憶部５９とを備える。コントローラ５５、通信部５８及び記憶部５９は図２に示された制御ボックス５４に内蔵され、表示部５７は表示ボックス５４に載置されている。
【００３４】
コントローラ５５は、記憶部５９に記録されているプログラムに従って各種の処理を行うとともに、第１のカメラ５１、第２のカメラ５２、表示部５７及び通信部５８を駆動する。第１のカメラ５１で撮影された顔画像はコントローラ５５に転送され、第２のカメラ５２で撮影された顔画像もコントローラ５５に転送される。
【００３５】
入力部５６は、カーソルキー、数字入力キー及び各種機能キーを備えたキーボードを含み、このキーボードで押下されたキーに対応する操作信号をコントローラ５５に転送する。また、入力部５６は、必要に応じてマウス、タッチパネル等のポインティングデバイス、ＩＤカードやＩＤカードの申請書に印字されたＩＤ番号を光学的に読取るＯＣＲ（Optical Character Reader）装置、ＩＤカードの磁気ストライプや半導体メモリに記憶されたＩＤ番号や画像情報等を読取るリーダライタ（Ｒ／Ｗ）装置等、その他種々の入力装置を備えるものとしてもよい。
【００３６】
表示部５７は、ＣＲＴ（Cathode Ray Tube）又はＬＣＤ（Liquid Crystal Display）であり、コントローラ５５から転送された表示制御信号に応じて各種の表示を行う。
【００３７】
通信部５８は、ネットワークＮを介して他の装置と通信を行うための制御を行う。ネットワークＮを介して通信部５８で受信したデータはコントローラ５５に転送され、コントローラ５５から通信部５８に転送されたデータは通信部５８により他の装置に送信される。
【００３８】
記憶部５９は、プログラムが予め記憶されている記録媒体（図示せず）を有しており、この記録媒体は磁気的記憶媒体、光学的記録媒体又は半導体メモリで構成されている。この記録部５９の記録媒体に記憶されたプログラムは、コンピュータとしてのコントローラ５５が読み取り可能なプログラムコードの形態で格納され、コントローラ５５はそのプログラムコードに従った動作を逐次実行する。
【００３９】
図４は、発行端末９０のブロック図である。図４に示すように、発行端末９０は、発行プログラムを記憶した記憶部９９と、記憶部９９に記憶されたプログラムに従って各種処理を行うコントローラ９５と、コントローラ９５によって駆動されることによって表示を行う表示部９７と、コントローラ９５によって駆動されることによってネットワークＮを介して他の装置と通信を行うための制御を行う通信部９８と、操作されることによって操作内容に応じた操作信号をコントローラ９５に転送する入力部９６と、コントローラ９５によって駆動されることによってＩＤカードにデータを書き込んだりＩＤカードからデータを読み出したりするリーダ／ライタ９４とを備える。リーダ／ライタ９４は、アンテナ、送受信回路、制御回路、Ｉ／Ｆ部等を備えて構成され、電磁誘導によりＩＤカードへの電力の供給と通信を行い、ＩＤカードの内蔵メモリに対してデータの読出しまたは書き込みを行う。
【００４０】
図５を参照して、新規登録又は更新登録の際に行う情報取得処理について説明する。図５は、新規登録又は更新登録の際に、撮影・照合装置５０のコントローラ５５による情報取得処理の流れを示したフローチャートである。図５のフローチャートに記述されている各機能をコントローラ５５に実現させるためのプログラムは記憶部５９に記憶されている。
【００４１】
図５に示すように、コントローラ５５は、登録端末１０により発行された申請人のＩＤ番号を入力部５６から入力させ（ステップＳ１）、顔画像の撮影準備が整ったか否かを判別する（ステップＳ２）。ここで、顔画像の撮影準備が整ったかどうかを判別する方法としては、申請人が着席するための撮影用の椅子にセンサを設け、申請人が椅子に着席してから所定時間（例えば、５秒程度）経過した場合に、撮影準備が整ったと判別する方法か、顔画像を撮影する撮影者又は申請人により、入力部５６を介して撮影準備ＯＫの指示が入力された場合、撮影準備が整ったと判別される方法等がある。
【００４２】
次いで、顔画像の撮影準備が整ったと判別された場合（ステップＳ２；Ｙｅｓ）、コントローラ５５は、第１のカメラ５１及び第２のカメラ５２を駆動することによって第１のカメラ５１及び第２のカメラ５２に画像入力を行わせる。そして、コントローラ５５は、第１のカメラ５１及び第２のカメラ５２によって入力された申請人の顔画像を第１のカメラ５１及び第２のカメラ５２から取得する（ステップＳ３）。ここで、コントローラ５５が第１のカメラ５１の撮影と第２のカメラ５２の撮影を同時に行わせることが好ましい。
【００４３】
そして、コントローラ５５は、第１のカメラ５１から取得した顔画像を圧縮するとともに、第２のカメラ５２から取得した顔画像を圧縮する（ステップＳ４）。ここで、ステップＳ４においては、コントローラ５５は、第１のカメラ５１から取得した顔画像の圧縮率を第２のカメラ５２から取得した顔画像の圧縮率よりも低くする。以下、第１のカメラ５１から取得して圧縮した顔画像をメイン顔画像といい、第２のカメラ５２から取得して圧縮した顔画像をサブ顔画像という。
【００４４】
続いて、コントローラ５５は、メイン顔画像から所定のアルゴリズムに従って特徴点データを抽出する（ステップＳ５）。また、コントローラ５５は、サブ顔画像から所定のアルゴリズムに従って特徴点データを抽出する（ステップＳ６）。以下、メイン顔画像から抽出された特徴点データをメイン特徴点データといい、サブ顔画像から抽出された特徴点データをサブ特徴点データという。
【００４５】
そして、コントローラ５５は、ＩＤ番号にメイン顔画像及びメイン特徴点データを対応付けて顔画像ファイリング装置７０に送信し、続いてＩＤ番号にサブ顔画像及びサブ特徴点データを対応付けて顔画像ファイリング装置７０に送信する（ステップＳ７）。顔画像ファイリング装置７０は、受信したメイン顔画像、メイン特徴点データ、サブ顔画像及びサブ特徴点データをＩＤ番号に対応付けてデータベースに蓄積する。さらに、コントローラ５５は、ＩＤ番号にメイン顔画像及びメイン特徴点データを対応付けてホストコンピュータ１に送信し、続いてＩＤ番号にサブ顔画像及びサブ特徴点データを対応付けてホストコンピュータ１に送信する（ステップＳ８）。これにより、ホストコンピュータ１は、受信したメイン顔画像、メイン特徴点データ、サブ顔画像及びサブ特徴点データをＩＤ番号に対応付けてデータベースに蓄積する。
そして、コントローラ５５の処理が終了する。
【００４６】
次に、図６を参照して、ＩＤカードを作成・発行する際に、顔画像や特徴点データを用いて個人認証を行う照合処理について説明する。図６は、ＩＤカード作成方法における照合処理の流れを示したフローチャートである。図６のフローチャートに記述されている各機能をコントローラ５５に実現させるためのプログラムは記憶部５９に記憶されている。
【００４７】
図６に示すように、コントローラ５５は、本人確認を行う申請人のＩＤ番号を入力部５６から入力させ（ステップＳ１１）、顔画像の撮影準備が整ったか否かを判別する（ステップＳ１２）。次いで、顔画像の撮影準備が整ったと判別された場合（ステップＳ１２；Ｙｅｓ）、コントローラ５５は、第１のカメラ５１及び第２のカメラ５２を駆動することによって第１のカメラ５１及び第２のカメラ５２に画像入力を行わせる。そして、コントローラ５５は、第１のカメラ５１及び第２のカメラ５２によって入力された申請人の顔画像を取得する（ステップＳ１３）。そして、コントローラ５５は、第１のカメラ５１から取得した顔画像を圧縮するとともに、第２のカメラ５２から取得した顔画像を第１のカメラ５１から取得した顔画像よりも高い圧縮率で圧縮する（ステップＳ１４）。続いて、コントローラ５５は、第１のカメラ５１から取得した顔画像から所定のアルゴリズムに従って特徴点データを抽出する（ステップＳ１５）。また、コントローラ５５は、第２のカメラ５２から取得した顔画像から所定のアルゴリズムに従って特徴点データを抽出する（ステップＳ１６）。また、コントローラ５５は、入力された申請人のＩＤ番号と共に、メイン特徴点データ及びサブ特徴点データの要求指示を顔画像ファイリング装置７０に送信して（ステップＳ１７）、顔画像ファイリング装置７０からＩＤ番号に対応するメイン特徴点データ及びサブ特徴点データを受信する（ステップＳ１８）。
【００４８】
そして、コントローラ５５は、ステップＳ１５にて取得した特徴点データをステップＳ１８にて受信したメイン特徴点データと照合するとともに、ステップＳ１６にて取得した特徴点データをステップＳ１８にて受信したサブ特徴点データと照合し、本人であるか否かの確認を行う（ステップＳ１９）。そして、ステップＳ１５にて取得した特徴点データがステップＳ１８にて受信したメイン特徴点データに一致し、且つ、ステップＳ１６にて取得した特徴点データがステップＳ１８にて受信したサブ特徴点データした場合（ステップＳ１９：Ｙｅｓ）、コントローラ５５は、個人認証が成功したと判別して本人であることを確認して、認証ＯＫメッセージを表示部５７に表示させ（ステップＳ２５）、本照合処理を終了する。
【００４９】
一方、ステップＳ１５にて取得した特徴点データがステップＳ１８にて受信したメイン特徴点データに一致しない場合、又は、ステップＳ１６にて取得した特徴点データがステップＳ１８にて受信したサブ特徴点データしない場合（ステップＳ１９：Ｎｏ）、コントローラ５５は、申請人のＩＤ番号と共にメイン顔画像及びサブ顔画像の要求指示を顔画像ファイリング装置７０に送信する（ステップＳ２０）。次いで、コントローラ５５は、顔画像ファイリング装置７０からＩＤ番号に対応するメイン顔画像及びサブ顔画像を受信する（ステップＳ２１）。そして、コントローラ５５は、受信したメイン顔画像から特徴点データを抽出する（ステップＳ２２）。次に、コントローラ５５は、受信したサブ顔画像から特徴点データを抽出する（ステップＳ２３）。そして、コントローラ５５は、ステップＳ１５にて取得した特徴点データをステップＳ２２にて取得した特徴点データと照合するとともに、ステップＳ１６にて取得した特徴点データをステップＳ２３にて取得した特徴点データと照合し、本人であるか否かの確認を行う（ステップＳ２４）。
【００５０】
ここで、ステップＳ１５にて取得した特徴点データがステップＳ２２にて取得した特徴点データに一致し、且つ、ステップＳ１６にて取得した特徴点データがステップＳ２３にて取得した特徴点データに一致した場合（ステップＳ２４：Ｙｅｓ）、コントローラ５５は、個人認証が成功したと判別して本人であることを確認し、認証ＯＫメッセージを表示部５７に表示させる（ステップＳ２５）。そして、コントローラ５５は、第１のカメラ５５から取得した顔画像をＩＤ番号に対応付けてカードプリンタ８０に送信し、本照合処理を終了する。一方、ステップＳ１５にて取得した特徴点データがステップＳ２２にて取得した特徴点データに一致しない場合、又は、ステップＳ１６にて取得した特徴点データがステップＳ２３にて取得した特徴点データに一致した場合（ステップＳ２４：Ｎｏ）、コントローラ５５は、本人認証が失敗したと判別して、認証エラーメッセージを表示部５７に表示させ（ステップＳ２６）、本照合処理を終了する。
【００５１】
そして、カードプリンタ８０は、コントローラ５５から顔画像とＩＤ番号を受信すると、そのＩＤ番号に対応する個人情報をホストコンピュータ１に要求する。その要求を受けたホストコンピュータ１は、そのＩＤ番号に対応する個人情報をそのＩＤ番号に対応付けてカードプリンタ８０に送信する。そして、カードプリンタ８０は、コントローラ５５から受信した顔画像及びＩＤ番号をＩＤカードに印刷するとともに、ホストコンピュータ１から受信した個人情報をＩＤカードに印刷する。
【００５２】
次に、図７を参照して、ＩＤカードの作成を行うＩＤカード作成処理について説明する。図７は、発行端末９０のコントローラ９５により実行されるＩＤカード作成処理を示すフローチャートである。図７のフローチャートに記述されている各機能をコントローラ９５に実現させるためのプログラムは記憶部９９に記憶されている。
【００５３】
ここで作成が行われるＩＤカードには、前処理として、図６のような照合処理が行われた結果、本人と確認されて（ステップＳ１９：Ｙｅｓ、ステップＳ２４：Ｙｅｓ）、カードプリンタ８０によって表面に個人情報、顔画像、ＩＤ番号が印刷されたＩＤカードが用いられるものとする。図７に示すように、コントローラ９５は、申請人のＩＤ番号を入力させ（ステップＳ３１）、入力された申請人のＩＤ番号と共に、個人情報の要求指示をホストコンピュータ１に送信する（ステップＳ３２）。そして、ホストコンピュータから、ＩＤ番号に対応する個人情報を受信する（ステップＳ３３）。
【００５４】
また、コントローラ９５は、申請人のＩＤ番号と共に、メイン特徴点データ及び／又はサブ特徴点データの要求指示を顔画像ファイリング装置７０に送信し（ステップＳ３４）、顔画像ファイリング装置７０からＩＤ番号に対応するメイン特徴点データ及び／又はサブ特徴点データを受信する（ステップＳ３５）。
【００５５】
さらに、コントローラ９５は、申請人のＩＤ番号と共に、メイン顔画像及び／又はサブ顔画像の要求指示を顔画像ファイリング装置７０に送信して（ステップＳ３６）、顔画像ファイリング装置７０からＩＤ番号に対応するメイン顔画像及び／又はサブ顔画像を受信する（ステップＳ３７）。
【００５６】
そして、ＩＤカードがリーダ／ライタ９４にセッティングされると、コントローラ９５は、リーダ／ライタ９４を制御して、ＩＤ番号、個人情報、メイン特徴点データ、サブ特徴点データ、メイン顔画像、サブ顔画像をＩＤカードの内蔵メモリに記録する（ステップＳ３８）。情報の記録が終了した場合、コントローラ９５は、本ＩＤカード作成処理を終了する。
【００５７】
なお、図６に示した一部の機能を撮影・照合装置５０とは別の照合装置に実現させて良い。その照合装置はネットワークＮに接続されており、図６のステップＳ１１、ステップＳ１５〜Ｓ２６をその照合装置に実現させる。ここで、撮影・照合装置５０のコントローラ５５は、ステップＳ１３〜Ｓ１４を行い、第１のカメラ５１で取得した顔画像と第２のカメラ５２で取得した顔画像を照合装置に送信する。そして、撮影・照合装置５０のコントローラと同じように、その照合装置が図６のステップＳ１５〜ステップＳ２６を行う。
【００５８】
以上のように、第１のカメラ５１と第２のカメラ５２によって申請人の顔画像を取得したので、コントローラ５５においては２つの顔画像が取得される。そのため、特徴点が多くなる。これら２つの顔画像に基づいて照合を行うので、照合精度が向上し、精度良く本人確認を行うことができる。すなわち、ＩＤカード作成工程における、第三者のなりすましを適切に防止することができる。
【００５９】
また、第１のカメラ５１のアングルと第２のカメラ５２のアングルが異なるため、特徴点を立体的データ（例えば、鼻の高さ、頬の高さ、顔の凹凸等）として抽出することができる。また、第１のカメラ５１と第２のカメラ５２のどちらかが赤外線カメラであれば、可視光の場合に抽出できなかった特徴点（例えば、顔の傷、シミ等）を抽出することができる。
【００６０】
なお、本発明は、上記実施の形態に限定されることなく、本発明の趣旨を逸脱しない範囲において、種々の改良並びに設計の変更を行っても良い。
例えば、撮影・照合装置５０に設けるカメラの数は３つ以上であっても良い。
【図面の簡単な説明】
【００６１】
【図１】ＩＤカードシステムの構成を示したブロック図である。
【図２】図１に示す撮影・照合装置の側面図である。
【図３】図１に示す撮影・照合装置の構成を示したブロック図である。
【図４】図１に示す発行端末の構成を示したブロック図である。
【図５】図３に示すコントローラにより実行される情報取得処理の流れを示したフローチャートである。
【図６】図３に示すコントローラにより実行される認証処理の流れを示したフローチャートである。
【図７】図４に示すコントローラにより実行されるＩＤカード作成処理の流れを示したフローチャートである。
【符号の説明】
【００６２】
５０  撮影・照合装置
５１  第１のカメラ
５２  第２のカメラ
５５  コントローラ
【図１】
2007226549.tif 000003
【図２】
2007226549.tif 000004
【図３】
2007226549.tif 000005
【図４】
2007226549.tif 000006
【図５】
2007226549.tif 000007
【図６】
2007226549.tif 000008
【図７】
2007226549.tif 000009